(57)【要約】【課題】  取り付け作業の煩雑さが解消された天袋ユニットを提供すること。【解決手段】  天袋ユニット１は、後方上部が梁の外形より大きく切り欠かれた切欠部２を有し、この切欠部を形成する背板３の天板に接する上端部に、固定金具挿入用の開口７が設けられている。【選択図】図１
2006090028.tif 000002
【特許請求の範囲】
【請求項１】
梁が突出している内壁面上部に取り付けられる天袋ユニットにおいて、天袋ユニットは、後方上部が梁の外形より大きく切り欠かれた切欠部を有し、この切欠部を形成する背板の天板に接する上端部に、固定金具挿入用の開口が設けられていることを特徴とする天袋ユニット。
【請求項２】
請求項１記載の天袋ユニットを取り付けるための取付構造であって、断面Ｌ形の固定金具の一方の固定片が梁に固定され、他方の固定片が、開口を通じて天袋ユニットの内部に挿入されて天板に固定され、天袋ユニットの切欠部と梁の間に空間が形成されることを特徴とする天袋ユニットの取付構造。
【発明の詳細な説明】
【技術分野】
【０００１】
本願発明は、梁が突出している内壁面上部に取り付けられる天袋ユニットとこれを取り付けるための取付構造に関するものである。
【背景技術】
【０００２】
梁が突出している内壁面上部に取り付けられる天袋ユニットについては、梁の大きさに応じて天袋ユニットの形状を調整するようにしている。その一つとして、施工現場において天袋ユニットの後方上部を梁の大きさに合わせて切り取り、切り取り部にカバーを設けることが知られている（たとえば、特許文献１参照）。
【特許文献１】特開２００１−１５２６５７号公報
【発明の開示】
【発明が解決しようとする課題】
【０００３】
しかしながら、上記特許文献１に記載された天袋ユニットは、内壁面上部に突出している梁の大きさに合わせて天袋ユニットの形状を替えることができるという利点を有する一方で、天袋ユニットの形状の調整を施工現場毎で行わなければならず、天袋ユニットの取り付け作業が煩雑になるという問題がある。
【０００４】
本願発明は、このような事情に鑑みてなされたものであり、取り付け作業の煩雑さが解消された天袋ユニットとその取付構造を提供することを解決すべき課題としている。
【課題を解決するための手段】
【０００５】
本願発明は、上記の課題を解決するために、第１には、梁が突出している内壁面上部に取り付けられる天袋ユニットにおいて、天袋ユニットは、後方上部が梁の外形より大きく切り欠かれた切欠部を有し、この切欠部を形成する背板の天板に接する上端部に、固定金具挿入用の開口が設けられていることを特徴としている。
【０００６】
本願発明は、第２には、上記第１の天袋ユニットを取り付けるための取付構造であって、断面Ｌ形の固定金具の一方の固定片が梁に固定され、他方の固定片が、開口を通じて天袋ユニットの内部に挿入されて天板に固定され、天袋ユニットの切欠部と梁の間に空間が形成されることを特徴としている。
【発明の効果】
【０００７】
本願発明の第１の天袋ユニットおよび第２の天袋ユニットの取付構造によれば、施工現場において形状を調整することがないため、取り付け作業は簡便となる。
【発明を実施するための最良の形態】
【０００８】
以下、図面に沿って本願発明の天袋ユニットとその取付構造についてさらに詳しく説明する。
【０００９】
図１、図２は、それぞれ、本願発明の天袋ユニットの一実施形態を示した斜視図、正面図である。
【００１０】
天袋ユニット１では、後方上部が切り欠かれている。切欠部２の大きさは、建物の内壁面上部に突出する梁よりも大きめにしており、様々な大きさの梁に適用可能としている。この切欠部２は、背板３および天板４から形成されている。したがって、天袋ユニット１は、縦断面が略Ｌ字形の中空な箱体となっている。前面開口には開閉自在な扉５が取り付けられる。
【００１１】
また、天袋ユニット１では、切欠部２を形成する背板３の、切欠部２を形成する側でない前方の天板６と接する上端部に、固定金具挿入用の開口７が、左右両側に２箇所設けられている。この開口７を通じて天袋ユニット１の内部に固定金具が挿入され、固定金具の固定片が天板６に固定される。
【００１２】
このような天袋ユニット１は、梁が突出する内壁面上部に次のようにして取り付けられる。
【００１３】
すなわち、図３の断面図に示したように、天袋ユニット１は、切欠部２を形成しない側の前方の天板６を天井面８に、また、後方の背板９を内壁面１０に当接させて配置される。天袋ユニット１は、天井面８、内壁面１０のいずれか一方または両方にビス等の固定具により固定されるが、梁１１にも固定される。梁１１への固定には、固定金具１２が用いられる。この固定金具１２は断面Ｌ形の形状を有する。一方の固定片１２ａが梁１１にビス等の固定具により固定され、他方の固定片１２ｂが、前述の開口７を通じて天袋ユニット１の内部に挿入され、天板６にビス等の固定具により固定される。天板６への固定に当たっては、ビス等の固定具が天板６を貫通して天井面８にまで達するようにしても良い。
【００１４】
なお、固定金具１２により梁１１と天袋ユニット１とを固定する際には、固定片１２ｂが、天井面８から天袋ユニット１の天板６の厚み分だけ下がるように、隙間をあけて固定片１２ａを梁１１の正面に配置し、固定具により固定金具１２を梁１１に固定する。次いで、天袋ユニット１を上記のように配置し、固定片１２ｂを、開口７を通じて天袋ユニット１の内部に挿入する。そして、固定具を用いて固定片１２ｂを天板６に固定する。固定後には、開口７が目隠しされるように、開口７にキャップ１３を装着することができる。
【００１５】
天袋ユニット１では、前述したように、切欠部２の大きさが、梁１１の大きさより大きめとされているため、図３に示したように、取り付け後には、切欠部２と梁１１との間に空間１４が形成される。この空間１４は断熱層として機能し、天袋ユニット１の内面における結露を生じにくくする。すなわち、梁１１に断熱材を設ける等の断熱処理が施されていない場合に、梁１１と接触させて天袋ユニット１を取り付けると、天袋ユニット１の内面に結露が生じることがあるが、空間１４は断熱層として機能するため、天袋ユニット１の内面に結露が生じにくくなる。
【００１６】
このように、天袋ユニット１では、施工現場で切欠部２を形成せずにすみ、形状の調整を行う必要がない。固定寸法の天袋ユニット１であっても、梁１１の大きさに関係なく、梁１１が突出する内壁面１０の上部に取り付けられる。したがって、天袋ユニット１の取り付け作業が簡便となる。
【００１７】
なお、固定金具１２については、図４に示したように、梁１１に固定される側の固定片１２ａを伸縮自在とし、固定金具１２の梁１１への固定作業を容易にすることができる。たとえば、固定片１２ａの本体部１５にその両側端部において係合してスライドすることのできるスライド部１６を設けることにより、固定片１２ａの伸縮を自在とすることができる。
【００１８】
もちろん、本願発明は、以上の実施形態によって限定されるものではない。天袋ユニットの大きさ、形状等の細部については様々な態様が可能であることはいうまでもない。
【図面の簡単な説明】
【００１９】
【図１】本願発明の天袋ユニットの一実施形態を示した斜視図である。
【図２】図１に示した実施形態の正面図である。
【図３】本願発明の天袋ユニットの取付構造の一実施形態を示した断面図である。
【図４】固定金具の一実施形態を示した斜視図である。
【符号の説明】
【００２０】
１    天袋ユニット
２    切欠部
３    背板
４    天板
５    扉
６    天板
７    開口
８    天井面
９    背板
１０    内壁面
１１    梁
１２    固定金具
１２ａ    固定片
１２ｂ    固定片
１３    キャップ
１４    空間
１５    本体部
１６    スライド部
【図１】
2006090028.tif 000003
【図２】
2006090028.tif 000004
【図３】
2006090028.tif 000005
【図４】
2006090028.tif 000006